(57)【特許請求の範囲】
【請求項１】
内視鏡の視野範囲を評価する内視鏡用検具であって、
前記内視鏡の視野角を認識できるように、前記内視鏡の観察窓が所定の位置に位置付けられた時における前記視野角を識別する文字が付された第１の指標と、
前記内視鏡の視野範囲を認識できるように前記第１の指標に合わせて区別された模様である第２の指標と、
を具備することを特徴とする内視鏡用検具。
【請求項２】
前記第１の指標の前記文字は、前記視野角に相当する角度であることを特徴とする請求項１に記載の内視鏡用検具。
【請求項３】
前記内視鏡の前記観察窓の位置を前記所定の位置に位置付け規定する装着部を備えたことを特徴とする請求項１または請求項２に記載の内視鏡用検具。
【請求項４】
前記装着部が前記内視鏡の挿入部が挿入される透明な樹脂により形成された筒状体であって、前記筒状体の端部に前記挿入部の先端面が当接して前記観察窓の位置を位置決めするストッパが配設されていることを特徴とする請求項３に記載の内視鏡用検具。
【請求項５】
閉塞された端面を有し、前記端面の中央に前記装着部が貫通するよう延設された筒体と、
前記第１の指標および前記第２の指標が印刷され、前記筒体の内周面に沿って丸めて挿入されるシート体と、
を具備することを特徴とする請求項３または請求項４に記載の内視鏡用検具。
【請求項６】
前記シート体は、前記第１の指標および前記第２の指標が印刷されていない部分が白色であることを特徴とする請求項５に記載の内視鏡用検具。
【請求項７】
所定の視野範囲を有する第１の観察手段を備えた第１の内視鏡と、
前記第１の内視鏡よりも広い視野範囲を有する第２の観察手段を備えた第２の内視鏡と、
前記第１の内視鏡の前記第１の観察手段または前記第２の内視鏡の前記第２の観察手段が所定の位置に位置付けられた時における前記第１の内視鏡と前記第２の内視鏡の視野角を識別する文字が付された第１の指標と、
前記第１の内視鏡と前記第２の内視鏡の視野範囲の違いを認識できるように前記第１の指標に合わせて区別された模様である第２の指標と、
を具備することを特徴とする内視鏡システム。
【発明の詳細な説明】
【技術分野】
【０００１】
本発明は、診断、検査、又は治療の際に、例えば体腔内に挿入される撮像部を備えた挿入部を有する内視鏡を含む内視鏡システム、及び内視鏡に着脱自在な内視鏡用検具に関する。
【背景技術】
【０００２】
近年、体腔内の臓器、生体組織などの診断、検査又は治療、或いは工業プラントなどの検査に用いられる各種内視鏡が広く利用されている。これら内視鏡は、その使用目的により、様々な視野範囲を備えている。
【０００３】
また、従来の内視鏡は、内視鏡検査の現場において、ユーザー自身での内視鏡の撮像部の解像力がどの程度であるかを判断することができなかった。そのため、例えば、特許文献１には、臓器などにおける微細な部位を観察する場合、或いは複雑な機械内部の細かい部分を観察する場合に内視鏡の画像、画質の鮮明さが重要とされ、内視鏡の撮像部にトラブルが生じていないかを確認する簡易画像確認装置が開示されている。
【特許文献１】特開２００２−２７２６７０号公報
【発明の開示】
【発明が解決しようとする課題】
【０００４】
従来では、ユーザーは、使用目的に適した視野範囲を有する内視鏡を選定するために、視野範囲の異なる複数の内視鏡を使って、手のひらを被写体として撮影するなどして、夫々の視野範囲の違いを見比べる他なかった。
【０００５】
しかしながら、特許文献１に記載の簡易画像確認装置は、内視鏡の画像、画質の確認をすることはできるが、各種内視鏡が備える視野範囲を比較することはできない。
【０００６】
そのため、ユーザーは、各種内視鏡が、どの程度の視野範囲を有するかを、常に同一条件で把握することが難しく、簡便に定量的な各種内視鏡の視野範囲の違いの評価をすることができなかった。
【０００７】
そこで、本発明は、上述の事情に鑑みて成されたものであり、その目的とするところは簡便に、且つ定量的に内視鏡が有する視野範囲を評価することができる内視鏡用検具、及び内視鏡システムを実現することにある。
【課題を解決するための手段】
【０００８】
本発明の一態様の内視鏡用検具は、内視鏡の視野範囲を評価する内視鏡用検具であって、前記内視鏡の視野角を認識できるように、前記内視鏡の観察窓が所定の位置に位置付けられた時における前記視野角を識別する文字が付された第１の指標と、前記内視鏡の視野範囲を認識できるように前記第１の指標に合わせて区別された模様である第２の指標と、を具備することを特徴とする。
【０００９】
本発明の一態様の内視鏡システムは、所定の視野範囲を有する第１の観察手段を備えた第１の内視鏡と、前記第１の内視鏡よりも広い視野範囲を有する第２の観察手段を備えた第２の内視鏡と、前記第１の内視鏡の前記第１の観察手段または前記第２の内視鏡の前記第２の観察手段が所定の位置に位置付けられた時における前記第１の内視鏡と前記第２の内視鏡の視野角を識別する文字が付された第１の指標と、前記第１の内視鏡と前記第２の内視鏡の視野範囲の違いを認識できるように前記第１の指標に合わせて区別された模様である第２の指標と、を具備することを特徴とする。
【発明の効果】
【００１０】
本発明によれば、簡便に、且つ定量的に内視鏡が有する視野範囲を評価することができる内視鏡用検具、及び内視鏡システムを実現することができる。
【発明を実施するための最良の形態】
【００１１】
以下、図面を参照して、本発明の内視鏡に係る実施の形態について説明する。尚、以下の各実施の形態における説明においては、医療分野に用いられる軟性内視鏡を例に挙げて説明するが、勿論、硬性内視鏡、及び工業分野に用いられる内視鏡においても、同様の発明の効果を奏するものであり、基本的な構成については略同じであるため、それらの説明を省略する。
【００１２】
（第１の実施の形態）
先ず、本発明の第１の実施の形態について説明する。  
図１〜図９は、本発明の第１の実施の形態に係り、図１は内視鏡の先端部分と、内視鏡用検具を示す斜視図、図２は内視鏡用検具を示す全構成図、図３は内視鏡用検具の断面図、図４は指標シートの一面を示す平面図、図５は指標シートが内視鏡用検具に設置される状態を説明する図、図６は内視鏡用検具が内視鏡の先端部分に装着された状態を示す図、図７は内視鏡が装着された内視鏡用検具の断面図、図８は第１の内視鏡が捉えた内視鏡画像を示す図、図９は第２の内視鏡が捉えた内視鏡画像を示す図である。
【００１３】
図１に示すように、本実施の形態の内視鏡システム１は、内視鏡２と、内視鏡用検具２０とによって構成されている。  
内視鏡は、先端部３、湾曲部４、及び図示しない可撓管部からなり、体腔内に挿入される細長で可撓性を有する挿入部５を備えている。この挿入部５の基端部には、図示していないが、操作部（図１４での符号１０）と、この操作部の側部から延出して光源装置（図１４での符号５４）、ビデオプロセッサ（図１４での符号５３）などに接続されるユニバーサルコード（図１４での符号１０ａ）が配設されている。
【００１４】
挿入部５には、上述のように、先端側から順に、硬質部材で形成した先端部３と、複数の湾曲駒を回動自在に連接して例えば上下左右方向に湾曲自在に形成した湾曲部４と、柔軟性を有する可撓管部（不図示）と、が連設している。
【００１５】
先端部３の先端面には、光学像を撮像するための観察窓６と、照明光を照射するための２つの照明窓７ａ，７ｂと、観察窓６に開口部が臨み、送気送水するＡ/Ｗ（エアー／ウォータ）ノズル８と、処置具などが挿通される内視鏡チャンネル９の開口部と、が配設されている。
【００１６】
この先端部３内には、観察窓６から入射された撮影光を集光する図示しないレンズユニットと、この撮影光を撮像する、ＣＣＤ、ＣＭＯＳなどの図示しない撮像手段と、が内蔵されている。この撮像手段に集光された光学像は、ユニバーサルコードを介して、ビデオプロセッサからモニタ（図１４での符号５２）によって画像表示される。
【００１７】
内視鏡用検具２０は、例えば、アクリルなどの透明な合成樹脂からなり、一端が閉塞された指標部となる筒体２１と、この閉塞された面の中央から延設された筒状の取り付け手段である内視鏡装着部２２と、を有して構成されている。
【００１８】
図２、及び図３に示すように、内視鏡装着部２２は、筒体２１の内部まで貫挿しており、筒体２１の閉塞された側の面に固定されている。この内視鏡装着部２２の筒体２１内に位置する端部には、中央に孔部を有する円盤状のストッパ２３が固着されている。
【００１９】
この内視鏡用検具２０の筒体２１内には、図４に示す指標シート２４が図５に示すように筒状にされて、内周面に沿って挿入される。
【００２０】
この指標シート２４は、紙、セロファンなどにより形成される白色の矩形状のシート体２４ａの表面に第１の指標２５、及び第２の指標２６が印刷されている。シート体２４ａは、長辺の長さが、筒体２１の内周長と略同じ長さに設定され、短辺の長さが筒体２１の筒長と略同じ長さに設定されている。
【００２１】
本実施の形態の第１の指標２５は、シート体２４ａの短辺方向に、例えば文字である−８から１５までの数字が等間隔に羅列して、印字された指標である。尚、この第１の指標２５は、−８〜１５の数字に限ることなく、シート体２４ａの短辺方向に対して所定の等間隔に羅列して区別される縞模様、格子模様、ドット模様、絵などでも良い。
【００２２】
また、本実施の形態の第２の指標２６は、第１の指標２５の０〜６の数字に合わせて、シート体２４ａの長辺方向に延びるように、所定の等間隔で印刷された縞模様である。この第２の指標２６は、例えば、色分けしたラインにより区別される縞模様となるようにしても良く、濃淡が異なるラインにより区別される縞模様となるようにしても良い。
【００２３】
尚、第２の指標２６は、上述の第１の指標２５と同様に、シート体２４ａの短辺方向を区別でき、長辺方向に延びるように所定の等間隔に羅列された格子模様、ドット模様、絵などでも良い。
【００２４】
また、指標シート２４は、第１の指標２５と第２の指標２６が印刷された部分以外は白色となっている。
【００２５】
この指標シート２４は、図５に示すように、第１、第２の指標２５，２６が印刷された面が内周側となるように短辺同士が隣接するように筒状に変形され、内視鏡用検具２０の筒体２１内へ挿設される。
【００２６】
このとき、指標シート２４は、シート体２４ａの長辺の長さが筒体２１の内周長と略同じ長さに設定され、短辺の長さが筒体２１の筒長と略同じ長さに設定されているため、内視鏡用検具２０の筒体２１の内周面全域を覆うように配置される。
【００２７】
尚、以上に説明したように、本実施の形態の内視鏡用検具２０は、この指標シート２４を含んで構成される。
【００２８】
この内視鏡用検具２０には、図６に示すように、内視鏡装着部２２に内視鏡２の挿入部５が先端部３側から挿入される。このとき、内視鏡２の挿入部５は、先端部３の先端面が内視鏡装着部２２のストッパ２３に当接された状態となるまで、内視鏡装着部２２に挿入される。ユーザーは、筒体２１の端面、及び内視鏡装着部２２が透明な部材であるため、内視鏡２の先端部３の先端面が確実にストッパ２３に当接されているか否かの確認を行うことができる。
【００２９】
以上のように構成された、本実施の形態の内視鏡用検具２０は、視野角の異なる複数の内視鏡２がどの程度の視野範囲を有するかを、モニタに表示される画像によって、常に同一条件で把握でき、簡便に定量的な複数の内視鏡２の視野範囲の違いの評価するために用いられる。
【００３０】
つまり、図７に示すように、例えば、視野角θ１を有する第１の内視鏡（２）と、視野角θ２を有する第２の内視鏡（２）との２つの内視鏡２の視野範囲を比べる場合、ユーザーは、各内視鏡２の挿入部５を先端部３側から内視鏡用検具２０の内視鏡装着部２２に夫々挿入する。
【００３１】
尚、ここでは、第１の内視鏡（２）の視野角θ１が第２の内視鏡（２）の視野角θ２よりも小さく（θ１＜θ２）設定されているものを例に挙げて説明する。すなわち、第２の内視鏡（２）の方が、第１の内視鏡（２）よりも広角の内視鏡２であって、ユーザーは、これら各内視鏡２が撮影する内視鏡画像の違いをモニタによって確認することができる。
【００３２】
具体的には、ユーザーは、第１の内視鏡２を内視鏡用検具２０に装着すると、図８に示すように、モニタによって映し出される内視鏡画像３１によって、第１の指標２５の数字４が図中右上角部に表示されていることが確認できる。また、ユーザーは、第２の指標２６によっても、内視鏡画像３１の図中両横において、略３本のライン（第１の指標２５の数字４に沿ったライン）まで確認することができる。
【００３３】
次に、ユーザーは、第２の内視鏡２を内視鏡用検具２０に装着すると、図９に示すように、モニタによって映し出される内視鏡画像３２によって、第１の指標の数字１が図中右上角部に表示されていることが確認できる。また、ユーザーは、第２の指標２６によっても、内視鏡画像３２の図中両横において、略６本のライン（第１の指標２５の数字１に沿ったライン）まで確認することができる。
【００３４】
すなわち、本実施の形態の内視鏡用検具２０は、内視鏡装着部２２によって、各内視鏡２を装着する位置を決めることができ、これら内視鏡２の撮影光軸から所定の距離離間した位置に第１の指標２５、及び第２の指標２６を設けることで、各内視鏡２の視野範囲の違いを評価できる構成となっている。
【００３５】
尚、第１の指標２５は、例えば、各内視鏡２の視野角に相当する数値とすることで、よりユーザーが認識し易い指標となる。つまり、例えば、図８に示した内視鏡画像３１を視野角１２０度の内視鏡２が表示したとすると、第１の指標２５の数字４に相当する位置に数字１２０を印字することで、ユーザーは現在確認している内視鏡２が１２０度の視野角θ１を有するものであると容易に認識することができる。また、例えば、図９に示した内視鏡画像３２を視野角１７０度の内視鏡２が表示したとすると、第１の指標２５の数字１に相当する位置に数字１７０を印字することで、ユーザーは現在確認している内視鏡２が１７０度の視野角θ２を有するものであると容易に認識することができる。
【００３６】
さらに、第１の指標２５、及び第２の指標２６が印刷されていない部分は、白色であるため、ユーザーは、指標シート２４の白色部分を利用して、各内視鏡２のホワイトバランス調整を行うことができる。
【００３７】
以上の結果、本実施の形態の内視鏡用検具２０を含む内視鏡システム１では、一定の条件下で視野角の異なる複数の内視鏡２の視野範囲の違いを明確にすることができ、その違いをユーザーに明確に認識させることができる。つまり、内視鏡システム１は、視野角の異なる複数の内視鏡２を使用するユーザーに対して、各内視鏡２が表示する内視鏡画像の視野範囲を常に同一条件で把握させるため、簡便に定量的な視野範囲の違いの評価ができる構成となっている。
【００３８】
尚、内視鏡用検具２０の内視鏡装着部２２は、複数の内視鏡２の視野範囲に対する上下左右方向を合わせるために、図１０に示すように、先端部３の先端面にあるＡ／Ｗノズル８を掛止する位置合わせ用の溝部２３ａがストッパ２３や、内視鏡２の内視鏡チャンネル９に挿入する位置合わせ用の突起部２３ｃを備えた凸部２３ｂを有していても良い。尚、これら位置合わせのための各部２３ａ，２３ｂは、内視鏡２の視野範囲を阻害しないようにストッパ２３に設けられるものである。
【００３９】
また、図１０は、位置合わせ用の溝部２３ａを説明するための内視鏡２の挿入部５が挿入された内視鏡用検具２０の内視鏡装着部２２を示す図であり、図１１は位置合わせ用の凸部２３ｂを説明するための内視鏡２の挿入部５が挿入された内視鏡用検具２０の内視鏡装着部２２を示す図である。
【００４０】
尚、本実施の形態では、内視鏡用検具２０の筒体２１に着脱自在に挿設される指標シート２４を用いたが、筒体２１の内周面へ第１の指標２５、及び第２の指標２６を直接に印刷、塗装、着色などしても良い。
【００４１】
（第２の実施の形態）
次に、本発明の第２の実施の形態について説明する。  
図１２、及び図１３は、第２の実施の形態に係り、図１２は内視鏡が装着された内視鏡用検具の断面図、図１３は指標体を示す平面図である。尚、本実施の形態の説明では、第１の実施の形態と同じ構成について、同じ符号を使って、それらの説明を省略する。
【００４２】
図１２に示すように、本実施の形態の内視鏡用検具２０ａは、上述の筒体２１に変えて、頂点部分に内視鏡装着部２２の中途外周部と固着される孔部が形成された略円錐状の透明な部材からなるコーン２７を有している。このコーン２７は、端面に円盤状の板体である指標部となる指標体２８が配設されている。
【００４３】
コーン２７に対向する側の指標体２８の一面には、図１３に示すように、第１の指標２９、及び第２の指標３０が印刷されている。本実施の形態の第１の指標２９は、指標体２８の中心から外周に向かって、例えば、０〜２０の数字が所定の等間隔に羅列して、印字された指標である。尚、この第１の指標２９もまた、０〜２０の数字に限ることなく、所定の等間隔に羅列して区別される縞模様、格子模様、ドット模様、絵などでも良い。
【００４４】
一方で、本実施の形態の第２の指標３０は、第１の指標２９の１０〜２０の数字に合わせて、指標体２８の円周に沿って、所定の等間隔で印刷された縞模様である。この第２の指標３０もまた、例えば、色分けしたラインにより区別される縞模様となるようにしても良く、濃淡が異なるラインにより区別される縞模様となるようにしても良い。
【００４５】
尚、第２の指標３０も、上述の第１の指標２９と同様に、所定の等間隔に羅列された格子模様、ドット模様、絵などでも良い。
【００４６】
また、指標体２８もまた、第１の指標２９と第２の指標３０が印刷された部分以外は白色となっている。
【００４７】
このように構成された、本実施の形態の内視鏡用検具２０ａには、第１の実施の形態と同じように、内視鏡装着部２２に内視鏡２の挿入部５が先端部３側から挿入される。このとき、ユーザーは、コーン２７、及び内視鏡装着部２２が透明な部材であるため、内視鏡２の先端部３の先端面が確実にストッパ２３に当接されているか否かの確認を行うことができる。
【００４８】
また、第１の実施の形態と同様に、本実施の形態の内視鏡用検具２０ａは、内視鏡装着部２２によって、各内視鏡２を装着する位置を決めることができ、これら内視鏡２の撮影光軸から所定の距離離間した位置に第１の指標２９、及び第２の指標３０を設けることで、各内視鏡２の視野範囲の違いを評価できる構成となっている。
【００４９】
すなわち、内視鏡用検具２０ａにおいても、第１の実施の形態と同様に、視野角の異なる内視鏡２によって、指標体２８の第１、第２の指標２９，３０を夫々撮影することで、一定の条件下で視野角の異なる複数の内視鏡２の視野範囲の違いを明確にすることができ、その違いをユーザーに明確に認識させることができる。つまり、内視鏡２、及び内視鏡用検具２０ａからなる本実施の形態の内視鏡システム１でも、視野角の異なる複数の内視鏡２を使用するユーザーに対して、各内視鏡２が表示する内視鏡画像の視野範囲を常に同一条件で把握させるため、簡便に定量的な視野範囲の違いの評価ができる構成となっている。
【００５０】
ところで、図１４に示すように、一般に未使用時の内視鏡２は、挿入部５の基端に連設された操作部１０から延設するユニバーサルコード１０ａの根元部である折れ止め部１０ｂがワークトロリー５１のフック部５８のハンガー５９に掛止される。この未使用時の内視鏡２の視野範囲を確認できるように、上述した各実施形態の内視鏡用検具２０，２０ａ（図１４では内視鏡用検具２０を図示している）は、内視鏡２の挿入部５の先端部３が位置するワークトロリー５１の下端部に装着しても良い。つまり、内視鏡用検具には、先端部３を固定するための固定部が設けられていないものである。尚、図１４は、内視鏡システムと、各種機器を示す全体構成図である。
【００５１】
以上のことから、ユーザーは、内視鏡２による検査、治療などを行う前に、使用する内視鏡２の視野範囲をモニタ５２により確認を行うことができる。
【００５２】
また、このワークトロリー５１には、内視鏡画像を表示する上述のモニタ５２、ビデオプロセッサ５３、光源装置５４、送水用タンク５５、キーボード５６、吸引器５７などが載置され、これら機器と、内視鏡２、及び内視鏡用検具２０（２０ａ）によって、内視鏡医療システム５０が構成されている。
【００５３】
尚、内視鏡医療システム５０は、図１５に示すように、内視鏡２の折れ止め部１０ｂをワークトロリー５１のフック部５８のハンガー５９へ掛止した状態で、挿入部５の先端部３を内視鏡用検具２０に挿入する位置を決めるようにしても良い。尚、図１５は、変形例を示し、内視鏡システム１と、各種機器を示す全体構成図である。
【００５４】
具体的には、図１６に示すように、内視鏡用検具２０は、内視鏡装着部２２を有しておらず、筒体２１がワークトロリー５１の下部側の側部に水平に設けられた第１の梁部５１ａに固定部材３５によって、固着される。尚、図１６は、図１５のワークトロリー５１に固定され、内視鏡２の先端部３が挿入されている状態の内視鏡用検具２０の断面図である。
【００５５】
この内視鏡用検具２０の上端面となる筒体２１の閉塞面には、内視鏡２の先端部３、及び湾曲部４が挿通可能な孔部２１ａが穿設されている。
【００５６】
つまり、内視鏡２がワークトロリー５１に掛止された状態で、少なくとも先端部３が孔部２１ａから挿入され、内視鏡用検具２０の筒体２１内の所定の高さ位置で位置決めされる。すなわち、内視鏡２の挿入部５は、内視鏡用検具２０に固定されていない状態である。
【００５７】
また、この先端部３の内視鏡用検具２０内における所定の高さ位置は、フック部５８の高さ調整と、第１の梁部５１への内視鏡用検具２０の固定位置によって設定される。
【００５８】
このような構成にすると、ユーザーは、ワークトロリー５１に掛止する使用前であって、同じ挿入部５の長さ寸法を備えた複数の内視鏡２の夫々が備える視野角をモニタ５２により、簡便に定量的な視野範囲の違いの評価ができる。
【００５９】
また、図１７、及び図１８に示すように、内視鏡２の挿入部５は、その外表面に設けられる挿入長を示す指標５ａに合わせて、ワークトロリー５１の第２の梁部５１ｂに固定されることで、先端部３が内視鏡用検具２０の筒体２１内の所定の高さ位置で位置決めされる構成にしても良い。尚、図１７は、変形例を示し、ワークトロリーに固定された内視鏡用検具に内視鏡の先端部が挿入されている状態を示す図、図１８はワークトロリーに固定された内視鏡用検具に内視鏡の先端部が挿入される前の状態を示す図である。
【００６０】
具体的には、内視鏡用検具２０が固定されている第１の梁部５１ａの上部側で平行に設けられたワークトロリー５１の第２の梁部５１ｂへ内視鏡２の挿入部５が固定されている。この挿入部５は、第２の梁部５１ｂに設けられた固定バンド３６により第２の梁部５１ｂへ所定の高さ位置で固定される。
【００６１】
この挿入部５の高さ方向の固定位置は、挿入部５に記されている挿入長を把握する指標５ａ（図面では数字１０のライン）が固定バンド３６の上端に合わせられている。尚、固定バンド３６は、一端部分が第２の梁部５１ｂに固定され、他端部に裏面に面ファスナが配設されている。また、第２の梁部５１ｂの側面には、図１８に示すように、固定バンド３６の面ファスナとの貼り、或いは剥がしによって、前記他端部を第２の梁部５１ｂに対して着脱自在な面ファスナ３６ａが設けられている。尚、固定バンド３６の前記他端部と、第２の梁部５１ｂとの着脱自在とする構成は、面ファスナ３６ａに限定されること無く、例えば、磁石などを利用しても良い。
【００６２】
つまり、ユーザーは、各内視鏡２の挿入部５に設けられた指標５ａの夫々の同じ基準位置に固定バンド３６を合わせて挿入部５を第２の梁部５１ｂに固定することで、内視鏡用検具２０に挿入される先端部３の内視鏡用検具２０の筒体２１内の所定の高さ位置を位置決めすることができる。
【００６３】
このような構成とすることで、ユーザーは、ワークトロリー５１に掛止する使用前であって、異なる挿入部５の長さ寸法を備えた複数の内視鏡２の夫々が備える視野角をモニタ５２により、簡便に定量的な視野範囲の違いの評価ができる。
【００６４】
以上の各実施の形態に記載した発明は、夫々の実施の形態に限ることなく、その他、実施段階ではその要旨を逸脱しない範囲で種々の変形を実施し得ることが可能である。さらに、上記各実施形態には、種々の段階の発明が含まれており、開示される複数の構成要件における適宜な組合せにより種々の発明が抽出され得る。
【００６５】
例えば、各実施形態に示される全構成要件から幾つかの構成要件が削除されても、発明が解決しようとする課題の欄で述べた課題が解決でき、発明の効果で述べられている効果が得られる場合には、この構成要件が削除された構成が発明として抽出され得る。
【図面の簡単な説明】
【００６６】
【図１】第１の実施の形態に係り、内視鏡の先端部分と、内視鏡用検具を示す内視鏡システムの斜視図。
【図２】同、内視鏡用検具を示す全構成図。
【図３】同、内視鏡用検具の断面図。
【図４】同、指標シートの一面を示す平面図。
【図５】同、指標シートが内視鏡用検具に設置される状態を説明する図。
【図６】同、内視鏡用検具が内視鏡の先端部分に装着された状態を示す図。
【図７】同、内視鏡が装着された内視鏡用検具の断面図。
【図８】同、第１の内視鏡が捉えた内視鏡画像を示す図。
【図９】同、第２の内視鏡が捉えた内視鏡画像を示す図。
【図１０】同、変形例を示し、ストッパに形成される位置合わせ用の溝部を説明するための内視鏡の挿入部が挿入された内視鏡用検具の内視鏡装着部を示す図。
【図１１】同、変形例を示し、ストッパに形成される位置合わせ用の凸部を説明するための内視鏡の挿入部が挿入された内視鏡用検具の内視鏡装着部を示す図。
【図１２】第２の実施の形態に係り、内視鏡が装着された内視鏡用検具の断面図。
【図１３】同、指標体を示す平面図。
【図１４】内視鏡システムと、各種機器を示す全体構成図。
【図１５】変形例を示し、内視鏡システムと、各種機器を示す全体構成図。
【図１６】図１５のワークトロリーに固定され、内視鏡の先端部が挿入されている状態の内視鏡用検具の断面図。
【図１７】変形例を示し、ワークトロリーに固定された内視鏡用検具に内視鏡の先端部が挿入されている状態を示す図。
【図１８】ワークトロリーに固定された内視鏡用検具に内視鏡の先端部が挿入される前の状態を示す図。
【符号の説明】
【００６７】
１・・・内視鏡システム
２・・・内視鏡
２０，２０ａ・・・内視鏡用検具
２１・・・筒体
２２・・・内視鏡装着部
２４ａ・・・シート体
２４・・・指標シート
２５，２９・・・第１の指標
２６，３０・・・第２の指標
【図１】
0004789610.tif 000002
【図２】
0004789610.tif 000003
【図３】
0004789610.tif 000004
【図４】
0004789610.tif 000005
【図５】
0004789610.tif 000006
【図６】
0004789610.tif 000007
【図７】
0004789610.tif 000008
【図８】
0004789610.tif 000009
【図１０】
0004789610.tif 000010
【図１１】
0004789610.tif 000011
【図１２】
0004789610.tif 000012
【図１３】
0004789610.tif 000013
【図１４】
0004789610.tif 000014
【図１５】
0004789610.tif 000015
【図１６】
0004789610.tif 000016
【図１７】
0004789610.tif 000017
【図１８】
0004789610.tif 000018
【図９】
0004789610.tif 000019